(57)【要約】      （修正有）【課題】ゴルフのパッティング時にグリーン上でパットラインを容易に見極めることができるゴルフボールマーカーを提供する。【解決手段】磁力によって互いに吸着する上部マーカー２と下部マーカー３とでゴルフボールマーカー１を構成し、水平状態の下部マーカー３の上部に上部マーカー２を垂直に載置した起立姿勢と水平に載置した倒伏姿勢とに姿勢変更可能とし、水平状態での上部マーカー２の天井部に発光体４を設けることにした。特に、水平状態での上部マーカー２の底部に上方に向けて押圧することで発光体４を消灯するスイッチ５を底面よりも下方に突設し、上部マーカー２が倒伏姿勢の時には発光体４が消灯する一方、上部マーカー２が起立姿勢の時には発光体４が点灯するように構成することにした。【選択図】図２
0003161591.tif 000002
【実用新案登録請求の範囲】
【請求項１】
磁力によって互いに吸着する上部マーカーと下部マーカーとでゴルフボールマーカーを構成し、水平状態の下部マーカーの上部に上部マーカーを垂直に載置した起立姿勢と水平に載置した倒伏姿勢とに姿勢変更可能とし、水平状態での上部マーカーの天井部に発光体を設けたことを特徴とするゴルフボールマーカー。
【請求項２】
水平状態での上部マーカーの底部に上方に向けて押圧することで発光体を消灯するスイッチを底面よりも下方に突設し、上部マーカーが倒伏姿勢の時には発光体が消灯する一方、上部マーカーが起立姿勢の時には発光体が点灯するように構成したことを特徴とする請求項１に記載のゴルフボールマーカー。
【請求項３】
水平状態での下部マーカーの天井部を平坦面とするとともに底部にスイッチを収容可能な凹部を形成し、上部マーカーが倒伏姿勢の時でも、上部マーカーを下部マーカーの天井部に載置した場合には発光体が消灯する一方、上部マーカーを下部マーカーの底部に載置した場合には発光体が点灯するように構成したことを特徴とする請求項２に記載のゴルフボールマーカー。
【考案の詳細な説明】
【技術分野】
【０００１】
本考案は、ゴルフプレーにおいて、グリーン上のボールの位置を確認するために使用されるゴルフボールマーカーに関する。
【背景技術】
【０００２】
従来より、グリーン上のボールの位置を確認するためにゴルフボールマーカーが使用されている。
【０００３】
このゴルフボールマーカーは、例えば、特許文献１に開示されているように、水平円板形状となっており、上部に発光体を設けた構成となっている。
【先行技術文献】
【特許文献】
【０００４】
【特許文献１】実用新案登録第３１４８８７０号公報
【考案の概要】
【考案が解決しようとする課題】
【０００５】
ところが、上記従来の特許文献１に示すようなゴルフボールマーカーを試してみたところ、発光体を上部に設けているために、カップ反対方向の水平方向からラインを読むときなどには、発光体を視認しずらいところがあることがわかった。
【０００６】
本考案は、このような従来技術の問題点に着目してなされたものであって、使用時にはグリーン上で水平方向に発光させることが出来るゴルフボールマーカーを提供することを目的とする。
【課題を解決するための手段】
【０００７】
そこで、請求項１に係る本考案では、ゴルフボールマーカーにおいて、磁力によって互いに吸着する上部マーカーと下部マーカーとでゴルフボールマーカーを構成し、水平状態の下部マーカーの上部に上部マーカーを垂直に載置した起立姿勢と水平に載置した倒伏姿勢とに姿勢変更可能とし、水平状態での上部マーカーの天井部に発光体を設けることにした。
【０００８】
また、請求項２に係る本考案では、前記請求項１に係る本考案において、水平状態での上部マーカーの底部に上方に向けて押圧することで発光体を消灯するスイッチを底面よりも下方に突設し、上部マーカーが倒伏姿勢の時には発光体が消灯する一方、上部マーカーが起立姿勢の時には発光体が点灯するように構成することにした。
【０００９】
また、請求項３に係る本考案では、前記請求項２に係る本考案において、水平状態での下部マーカーの天井部を平坦面とするとともに底部にスイッチを収容可能な凹部を形成し、上部マーカーが倒伏姿勢の時でも、上部マーカーを下部マーカーの天井部に載置した場合には発光体が消灯する一方、上部マーカーを下部マーカーの底部に載置した場合には発光体が点灯するように構成することにした。
【考案の効果】
【００１０】
本考案では、不使用時には上部マーカーの下面を下部マーカーの上面に磁気吸着させることにより上部マーカーの下面が下部マーカーの上面に重なって全体が一体に見える状態にし、使用時には上部マーカーの下面を下部マーカーの下面側に吸着させる倒伏姿勢か又は上部マーカーの端面を下部マーカーの上面に直立させた起立姿勢でＬＥＤなどの発光体を水平方向に発光させるようにしている。
【００１１】
そのため、本考案では、従来のゴルフボールマーカーを使用する場合において生じていたグリーンが急傾斜である時やロングパット時においてはカップの反対側からのライン読みには、見え難く位置の確認がしずらいとか他のプレーヤーにパットラインを踏まれるなどの不都合を有効に防止することが出来る。
【００１２】
さらに、ゴルフボールマーカーの存在が飛躍的に良くなるのでパットラインを容易に出すことが出来、ゴルフにおいての最大の課題であるパットの悩みを解消することが出来る。
【図面の簡単な説明】
【００１３】
【図１】ゴルフボールマーカーを示す斜視図。
【図２】同断面図。
【図３】ゴルフボールマーカーの倒伏姿勢（消灯時）での断面図。
【図４】ゴルフボールマーカーの起立姿勢（点灯時）での断面図。
【図５】ゴルフボールマーカーの倒伏姿勢（点灯時）での断面図。
【考案を実施するための形態】
【００１４】
本考案によるゴルフボールマーカーは、平面が円形状又は多角形状に形成され、中央部に磁石を有する下部マーカーと、下部マーカーと同形のそれに、電池、ＬＥＤなどの発光体を有し、上面に所定の装飾が施されている上部マーカーからなり、下部マーカーと上部マーカーは、磁石により吸着する。また、上部マーカーと下部マーカーを切り離すことにより発光体が発光するようにし、不使用時には、上部マーカーの下面を下部マーカーの上面側に吸着させることにより全体が一体に見える状態にして発光はしないが、使用時には上部マーカーの下面を下部マーカーの下面側に吸着させるか又は上部マーカーの側部（外周側）の端面を下部マーカーの磁石の上面に磁気吸着させることにより上部マーカーを下部マーカーの上面の上に直立させた状態で水平方向に発光させることが出来るようにしたことを特徴とするものである。
【００１５】
本考案を実施するための具体的な形態は、例えば以下の実施例１について述べるような形態である。
【実施例１】
【００１６】
図１〜図５は、本考案の実施例１によるゴルフボールマーカー１を示した図である。
【００１７】
ゴルフボールマーカー１は、磁力によって互いに吸着する上部マーカー２と下部マーカー３とで構成している。
【００１８】
このゴルフボールマーカー１は、水平状態の下部マーカー３の上部に上部マーカー２を垂直に載置した起立姿勢と水平に載置した倒伏姿勢とに姿勢変更可能とし、水平状態での上部マーカー２の天井部にＬＥＤなどの発光体４を設けている。
【００１９】
また、ゴルフボールマーカー１は、水平状態での上部マーカー２の底部に上方に向けて押圧することで発光体４を消灯するスイッチ５を底面よりも下方に突設している。
【００２０】
そして、ゴルフボールマーカー１は、上部マーカー２が倒伏姿勢の時には発光体４が消灯する（図３参照。）一方、上部マーカー２が起立姿勢の時には発光体４が点灯する（図４参照。）ようにしている。
【００２１】
また、ゴルフボールマーカー１は、水平状態での下部マーカー３の天井部を平坦面とするとともに底部にスイッチ５を収容可能な凹部６を形成し、上部マーカー２が倒伏姿勢の時でも、上部マーカー２を下部マーカー３の天井部に載置した場合には発光体４が消灯する（図３参照。）一方、上部マーカー２を下部マーカー３の底部に載置した場合には発光体４が点灯する（図５参照。）ようにもしている。
【００２２】
下部マーカー３は、平面が円形状に形成されており、その中央部分に平面が円形状の貫通孔７が形成されており円柱状の磁石８が挿入されて接着剤などで固定されている。貫通孔７には鍔９を形成し、貫通孔７に磁石８を挿入した状態で磁石８の下方に凹部６が形成されるようにしている。
【００２３】
また、図において、10は電池、11,12は発光体４の左右一対のリード線、13はごく薄板状のばねであり、一方のリード線11と電池10の上部電極とを導電性接着剤14で接続するとともに、他方のリード線12とばねとを電気的に接続し、ばね13の先端の可動部分にスイッチ５を形成するとともに、ばね13の先端部に接点15を形成している。台座16は円盤状で中央部が貫通された1.2ｍｍ厚の導電性がありかつ磁性体である材料で形成され、なおかつ厚さ0.1ｍｍの鍔17を形成している。この台座16は、導電性接着剤18で電池10の下部電極に接続している。
【００２４】
ごく薄板状のばね13は、ばねの反発力にて接点15で台座16と接続されているが、絶縁が必要なところはごく薄の絶縁フィルム19により絶縁されている。20は防水及び装飾のための樹脂である
【００２５】
次に本実施例１のゴルフボールマーカー１の使用方法について説明する。まず、本実施例１のゴルフボールマーカー１を使用いないときは、前記上部マーカー２の下面を前記下部マーカー３の上面に磁気吸着させることにより、両者が一体に見えるようにする（図３参照。）。そして、この状態で、例えば帽子などに取り付けられたマーカー保持具に磁気吸着で付着させておく。
【００２６】
次に、本実施例１のゴルフボールマーカーの使用するときは、図３に示すように両者が一体化された状態のままグリーン上にマークしてもよいが、曇天時や雨天時の時は、図５のように発光させて使用し、またロングパットなどの時は、図４に示すように前記下部マーカー３の上に前記上部マーカー２を直立させ水平方向に発光させるようにする。
【００２７】
このように前記上部マーカー２を前記下部マーカー３の上に直立させ水平方向に発光させるようにしたときは、パットラインをはっきりと確認することが出来るので、従来のゴルフボールマーカーを使用場合において生じていたグリーンが急傾斜である時やロングパット時において見えやすく、他のプレーヤーが誤ってラインを踏んでしまうなどの不都合を有効に防止することができ、さらに、ゴルフの最大の課題であるパットが飛躍的に向上するものである。
【符号の説明】
【００２８】
１  ゴルフボールマーカー
２  上部マーカー
３  下部マーカー
４  発光体
５  スイッチ
６  凹部
７  貫通孔
８  磁石
９  鍔
10  電池
11,12  リード線
13  ばね
14  導電性接着剤
15  接点
16  台座
17  鍔
18  導電性接着剤
19  絶縁フィルム
20  樹脂
【図１】
0003161591.tif 000003
【図２】
0003161591.tif 000004
【図３】
0003161591.tif 000005
【図４】
0003161591.tif 000006
【図５】
0003161591.tif 000007